(57)【要約】【課題】誤り訂正機能を有するワイヤレスマイクの技術において、伝送する音声データのうち重要部分について重点的に誤り訂正処理を行うことにより、通信時の音質劣化を効果的に軽減する。【解決手段】処理部１４の音声データ分割部１４３は、デジタル音声データを予め定められた所定の規則性により重要部分と他の部分に区分し、誤り訂正第１符号化器１５は、前記重要部分に対し前記他の部分よりも高い割合で誤り訂正用冗長ビットを付加する。【選択図】図２
2006038890.tif 000002
【特許請求の範囲】
【請求項１】
音声入力用のマイクロフォンと、
前記マイクロフォンから入力されるアナログ音声信号をコンピュータ又は電子回路がデジタル音声データに変換するＡ／Ｄ変換手段と、
前記デジタル音声データをもとに、コンピュータ又は電子回路が、誤り訂正用冗長ビット付加を含む処理により伝送用データを作成する誤り訂正符号化手段と、
前記伝送用データを搬送波で無線送信する送信手段と、
を備えた送信機において、
前記誤り訂正符号化手段により、
前記デジタル音声データを予め定められた所定の規則性により重要部分と他の部分に区分する手段と、
前記重要部分に対し前記他の部分よりも高い割合で前記誤り訂正用冗長ビットを付加する手段と、
を実現することを特徴とする送信機。
【請求項２】
音声の伝送用データを無線受信する受信手段と、
受信した前記伝送用データをもとに、コンピュータ又は電子回路が、その伝送用データに付加されている誤り訂正用冗長ビットを用いてデジタル音声データを復元する誤り訂正復号化手段と、
前記デジタル音声データをコンピュータ又は電子回路がアナログ音声信号に変換するＤ／Ａ変換手段と、
変換された前記アナログ音声信号による音声を外部へ出力する手段と、
を備えた受信機において、
前記誤り訂正復号化手段により、
前記デジタル音声データに予め定められた所定の規則性により区分されて含まれている重要部分と他の部分のうち、その重要部分については前記他の部分よりも高い割合で付加されている前記誤り訂正用冗長ビットを用いて復元し、前記他の部分については前記重要部分よりも低い割合で付加されている前記誤り訂正用冗長ビットを用いて復元し、それぞれ復元した重要部分と他の部分とを組み合わせることによりもとのデジタル音声データを復元する手段、
を実現することを特徴とする受信機。
【請求項３】
請求項１の送信機と、請求項２の受信機と、を組み合わせたことを特徴とするワイヤレスマイクシステム。
【請求項４】
音声入力用のマイクロフォンと、
前記マイクロフォンから入力されるアナログ音声信号をコンピュータ又は電子回路がデジタル音声データに変換するＡ／Ｄ変換手段と、
前記デジタル音声データをもとに、コンピュータ又は電子回路が、誤り訂正用冗長ビット付加を含む処理により伝送用データを作成する誤り訂正符号化手段と、
前記伝送用データを搬送波で無線送信する送信手段と、
を備えた送信機を用いて実行する音声送信方法において、
前記誤り訂正符号化手段により、
前記デジタル音声データを予め定められた所定の規則性により重要部分と他の部分に区分する処理と、
前記重要部分に対し前記他の部分よりも高い割合で前記誤り訂正用冗長ビットを付加する処理と、
を実行することを特徴とする音声送信方法。
【請求項５】
音声の伝送用データを無線受信する受信手段と、
受信した前記伝送用データをもとに、コンピュータ又は電子回路が、その伝送用データに付加されている誤り訂正用冗長ビットを用いてデジタル音声データを復元する誤り訂正復号化手段と、
前記デジタル音声データをコンピュータ又は電子回路がアナログ音声信号に変換するＤ／Ａ変換手段と、
変換された前記アナログ音声信号による音声を外部へ出力する手段と、
を備えた受信機において実行する音声受信方法において、
前記誤り訂正復号化手段により、
前記デジタル音声データに予め定められた所定の規則性により区分されて含まれている重要部分と他の部分のうち、その重要部分については前記他の部分よりも高い割合で付加されている前記誤り訂正用冗長ビットを用いて復元し、前記他の部分については前記重要部分よりも低い割合で付加されている前記誤り訂正用冗長ビットを用いて復元し、それぞれ復元した重要部分と他の部分とを組み合わせることによりもとのデジタル音声データを復元する処理、
を実行することを特徴とする音声受信方法。
【請求項６】
請求項４の音声送信方法と、請求項５の音声受信方法と、を組み合わせたことを特徴とする音声送受信方法。
【請求項７】
音声入力用のマイクロフォンと、
前記マイクロフォンから入力されるアナログ音声信号をコンピュータ又は電子回路がデジタル音声データに変換するＡ／Ｄ変換手段と、
前記デジタル音声データをもとに、コンピュータ又は電子回路が、誤り訂正用冗長ビット付加を含む処理により伝送用データを作成する誤り訂正符号化手段と、
前記伝送用データを搬送波で無線送信する送信手段と、
を備えた送信機のコンピュータ又は電子回路を制御することにより、前記誤り訂正符号化手段に、
前記デジタル音声データを予め定められた所定の規則性により重要部分と他の部分に区分する処理と、
前記重要部分に対し前記他の部分よりも高い割合で前記誤り訂正用冗長ビットを付加する処理と、
を実行させることを特徴とする音声送信プログラム。
【請求項８】
音声の伝送用データを無線受信する受信手段と、
受信した前記伝送用データをもとに、コンピュータ又は電子回路が、その伝送用データに付加されている誤り訂正用冗長ビットを用いてデジタル音声データを復元する誤り訂正復号化手段と、
前記デジタル音声データをコンピュータ又は電子回路がアナログ音声信号に変換するＤ／Ａ変換手段と、
変換された前記アナログ音声信号による音声を外部へ出力する手段と、
を備えた受信機のコンピュータ又は電子回路を制御することにより、前記誤り訂正復号化手段に、
前記デジタル音声データに予め定められた所定の規則性により区分されて含まれている重要部分と他の部分のうち、その重要部分については前記他の部分よりも高い割合で付加されている前記誤り訂正用冗長ビットを用いて復元し、前記他の部分については前記重要部分よりも低い割合で付加されている前記誤り訂正用冗長ビットを用いて復元し、それぞれ復元した重要部分と他の部分とを組み合わせることによりもとのデジタル音声データを復元する処理、
を実行させることを特徴とする音声受信プログラム。
【発明の詳細な説明】
【技術分野】
【０００１】
本発明は、誤り訂正機能を有するワイヤレスマイクの技術の改良に関する。
【背景技術】
【０００２】
近年、デジタル技術の進歩に伴い、各種会場で用いるようなワイヤレスマイクシステムの音声伝送もデジタル化が進んでいる。音声などのデジタルデータ伝送では、誤り検出や訂正の技術が用いられる。この技術は、送信側で送信データに、チェックサムなどと呼ばれる冗長ビットを付加することにより、受信側で受信データの誤り検出や訂正を行うものである（例えば、特許文献１参照）。その代表例として、垂直パリティチェック方式、水平パリティチェック方式、ハミング符号方式、ＣＲＣ方式、リードソロモン符号方式、畳み込み符号方式、ビダビ復号方式、ターボ符号方式などがあり、例えば、ハミング符号方式は、誤りの検出だけでなく訂正まで行う用途に適している。
【特許文献１】特開２０００−３５３９６８
【発明の開示】
【発明が解決しようとする課題】
【０００３】
ところで、伝送データのうち訂正が可能な誤りの割合は、伝送データ本体に対する冗長データ割合の多さに関連する。例えば、ワイヤレスマイクシステムにおけるデータ伝送の単位量をシンボルと呼ぶこととするが、あるデータ量のなかで何シンボルまで誤り訂正できるかは、そのデータ量に対して付加される冗長データ量に比例する。
【０００４】
しかし、データ伝送速度（帯域幅）の限界から、単位時間あたり伝送できるシンボル数には制約があるため、付加できる冗長データの量にも限界がある。そして、従来のワイヤレスマイクシステムでは、図６（ａ）に示すように、送信データのどの部分に対しても、所定割合の冗長データすなわちチェックサムを均等に割り当てていた結果、全てのシンボルに対して十分効果的な誤り訂正処理を行うことができないという問題があった。
【０００５】
特に、ワイヤレスマイクは、使用周波数帯域や、壇上等で使用者が持って歩き回る用途などから、搬送波の電波状況が変化しやすい特性があり、たまたま符号ビットなどデータの重要部分について誤りが多くなって訂正し切れない場合、極端なノイズや音途切れを始めとする音質劣化など音響上の不都合が生じる。
【０００６】
本発明は、上記のような従来技術の課題を解決するもので、その目的は、誤り訂正機能を有するワイヤレスマイクの技術において、伝送する音声データのうち重要部分について重点的に誤り訂正処理を行うことにより、通信時の音質劣化を効果的に軽減することである。
【課題を解決するための手段】
【０００７】
上記の目的を達成するため、請求項１の発明は、音声入力用のマイクロフォンと、前記マイクロフォンから入力されるアナログ音声信号をコンピュータ又は電子回路がデジタル音声データに変換するＡ／Ｄ変換手段と、前記デジタル音声データをもとに、コンピュータ又は電子回路が、誤り訂正用冗長ビット付加を含む処理により伝送用データを作成する誤り訂正符号化手段と、前記伝送用データを搬送波で無線送信する送信手段と、を備えた送信機において、    前記誤り訂正符号化手段により、前記デジタル音声データを予め定められた所定の規則性により重要部分と他の部分に区分する手段と、前記重要部分に対し前記他の部分よりも高い割合で前記誤り訂正用冗長ビットを付加する手段と、を実現することを特徴とする。
【０００８】
請求項４の発明は、請求項１の発明を方法という見方から捉えたもので、音声入力用のマイクロフォンと、前記マイクロフォンから入力されるアナログ音声信号をコンピュータ又は電子回路がデジタル音声データに変換するＡ／Ｄ変換手段と、前記デジタル音声データをもとに、コンピュータ又は電子回路が、誤り訂正用冗長ビット付加を含む処理により伝送用データを作成する誤り訂正符号化手段と、前記伝送用データを搬送波で無線送信する送信手段と、を備えた送信機を用いて実行する音声送信方法において、    前記誤り訂正符号化手段により、前記デジタル音声データを予め定められた所定の規則性により重要部分と他の部分に区分する処理と、前記重要部分に対し前記他の部分よりも高い割合で前記誤り訂正用冗長ビットを付加する処理と、を実行することを特徴とする。
【０００９】
請求項７の音声送信プログラムは、請求項１，４の発明をコンピュータのプログラムという見方から捉えたもので、音声入力用のマイクロフォンと、前記マイクロフォンから入力されるアナログ音声信号をコンピュータ又は電子回路がデジタル音声データに変換するＡ／Ｄ変換手段と、前記デジタル音声データをもとに、コンピュータ又は電子回路が、誤り訂正用冗長ビット付加を含む処理により伝送用データを作成する誤り訂正符号化手段と、前記伝送用データを搬送波で無線送信する送信手段と、を備えた送信機のコンピュータ又は電子回路を制御することにより、    前記誤り訂正符号化手段に、前記デジタル音声データを予め定められた所定の規則性により重要部分と他の部分に区分する処理と、前記重要部分に対し前記他の部分よりも高い割合で前記誤り訂正用冗長ビットを付加する処理と、を実行させることを特徴とする。
【００１０】
請求項２の発明は、音声の伝送用データを無線受信する受信手段と、受信した前記伝送用データをもとに、コンピュータ又は電子回路が、その伝送用データに付加されている誤り訂正用冗長ビットを用いてデジタル音声データを復元する誤り訂正復号化手段と、前記デジタル音声データをコンピュータ又は電子回路がアナログ音声信号に変換するＤ／Ａ変換手段と、変換された前記アナログ音声信号による音声を外部へ出力する手段と、を備えた受信機において、    前記誤り訂正復号化手段により、前記デジタル音声データに予め定められた所定の規則性により区分されて含まれている重要部分と他の部分のうち、その重要部分については前記他の部分よりも高い割合で付加されている前記誤り訂正用冗長ビットを用いて復元し、前記他の部分については前記重要部分よりも低い割合で付加されている前記誤り訂正用冗長ビットを用いて復元し、それぞれ復元した重要部分と他の部分とを組み合わせることによりもとのデジタル音声データを復元する手段、を実現することを特徴とする。
【００１１】
請求項５の発明は、請求項２の発明を方法という見方から捉えたもので、音声の伝送用データを無線受信する受信手段と、受信した前記伝送用データをもとに、コンピュータ又は電子回路が、その伝送用データに付加されている誤り訂正用冗長ビットを用いてデジタル音声データを復元する誤り訂正復号化手段と、前記デジタル音声データをコンピュータ又は電子回路がアナログ音声信号に変換するＤ／Ａ変換手段と、変換された前記アナログ音声信号による音声を外部へ出力する手段と、を備えた受信機を用いて実行する音声受信方法において、    前記誤り訂正復号化手段により、前記デジタル音声データに予め定められた所定の規則性により区分されて含まれている重要部分と他の部分のうち、その重要部分については前記他の部分よりも高い割合で付加されている前記誤り訂正用冗長ビットを用いて復元し、前記他の部分については前記重要部分よりも低い割合で付加されている前記誤り訂正用冗長ビットを用いて復元し、それぞれ復元した重要部分と他の部分とを組み合わせることによりもとのデジタル音声データを復元する処理、を実行することを特徴とする。
【００１２】
請求項８の音声受信プログラムは、請求項２，５の発明をコンピュータのプロ  グラムという見方から捉えたもので、音声の伝送用データを無線受信する受信手段と、受信した前記伝送用データをもとに、コンピュータ又は電子回路が、その伝送用データに付加されている誤り訂正用冗長ビットを用いてデジタル音声データを復元する誤り訂正復号化手段と、前記デジタル音声データをコンピュータ又は電子回路がアナログ音声信号に変換するＤ／Ａ変換手段と、変換された前記アナログ音声信号による音声を外部へ出力する手段と、を備えた受信機のコンピュータ又は電子回路を制御することにより、    前記誤り訂正復号化手段に、前記デジタル音声データに予め定められた所定の規則性により区分されて含まれている重要部分と他の部分のうち、その重要部分については前記他の部分よりも高い割合で付加されている前記誤り訂正用冗長ビットを用いて復元し、前記他の部分については前記重要部分よりも低い割合で付加されている前記誤り訂正用冗長ビットを用いて復元し、それぞれ復元した重要部分と他の部分とを組み合わせることによりもとのデジタル音声データを復元する処理、を実行させることを特徴とする。
【００１３】
請求項３のワイヤレスマイクシステムは、請求項１，２の発明を全体システムという見方から捉えたもので、請求項１の送信機と、請求項２の受信機と、を組み合わせたことを特徴とする。
【００１４】
請求項６の音声送受信方法は、請求項３の発明を方法という見方から捉えたもので、請求項４の音声送信方法と、請求項５の音声受信方法と、を組み合わせたことを特徴とする。
【発明の効果】
【００１５】
以上のような本発明では、伝送する音声データのうち重要部分について、それ以外の他の部分よりも相対的に多くの割合の訂正用冗長ビットを割り当てることにより、重点的に誤り訂正処理を行うので、通信時の音質劣化を効果的に軽減することが可能となる。
【発明を実施するための最良の形態】
【００１６】
次に、本発明を実施するための最良の実施形態について、図面を参照して説明する。なお、既に説明した従来の技術と共通の用語等前提事項は再言しない。
〔１．構成〕
まず、本実施形態を構成する主要な要素を説明するが、構成要素によっては後に作用の項で説明する。
〔１−１．全体構成〕
本実施形態は、図１に示すように、ワイヤレスマイク送信機１と、受信機２と、を組み合わせてハミング符号方式などによる誤り訂正を実現するワイヤレスマイクシステムに関するもので、受信機２は受信用のアンテナ３を備える。また、本実施形態は、送信機１における音声送信方法及びプログラム、受信機２における音声受信方法及びプログラム、送信機１と受信機２における音声送受信方法としても把握できる。
【００１７】
〔１−２．送信機の構成〕
ここで、送信機１の構成を図２の機能ブロック図に示す。すなわち、マイクロフォン（マイク）１１は音声入力用であり、Ａ／Ｄ変換部１３は、マイク１１から入力され増幅器１２が増幅したアナログ音声信号をコンピュータ又は電子回路がデジタル音声データに変換するＡ／Ｄ変換手段である。
【００１８】
また、処理部１４と、誤り訂正第１符号化器１５及び誤り訂正第２符号化器１６は、誤り訂正符号化手段を構成し、この誤り訂正符号化手段は、前記デジタル音声データをもとに、コンピュータ又は電子回路が、誤り訂正用冗長ビット付加を含む処理により伝送用データを作成するものである。また、ベースバンド処理部１７及び無線部１８は、前記伝送用データを搬送波で無線送信する送信手段を構成する。
【００１９】
そして、処理部１４の音声データ分割部１４３は、前記デジタル音声データを予め定められた所定の規則性により重要部分と他の部分に区分する手段であり、誤り訂正第１符号化器１５は、前記重要部分に対し前記他の部分よりも高い割合で前記誤り訂正用冗長ビットを付加する手段である。
【００２０】
〔１−３．受信機の構成〕
また、受信機２の構成を図３の機能ブロック図に示す。すなわち、無線部２８及びベースバンド処理部２７は、音声の伝送用データを無線受信する受信手段を構成している。また、誤り訂正第１復号化器２５及び誤り訂正第２復号化器２６と、処理部２４は、誤り訂正復号化手段を構成し、この誤り訂正復号化手段は、受信した前記伝送用データをもとに、コンピュータ又は電子回路が、その伝送用データに付加されている誤り訂正用冗長ビットを用いてデジタル音声データを復元するものである。
【００２１】
また、Ｄ／Ａ変換部２３は、前記デジタル音声データをコンピュータ又は電子回路がアナログ音声信号に変換するＤ／Ａ変換手段であり、増幅器２２及びスピーカ２１は、変換された前記アナログ音声信号による音声を外部へ出力する手段である。
【００２２】
そして、誤り訂正第１復号化器２５は、前記デジタル音声データに予め定められた所定の規則性により区分されて含まれている重要部分と他の部分のうち、その重要部分については前記他の部分よりも高い割合で付加されている前記誤り訂正用冗長ビットを用いて復元する部分である。一方、誤り訂正第２復号化器２６は、前記他の部分については前記重要部分よりも低い割合で付加されている前記誤り訂正用冗長ビットを用いて復元する部分である。さらに、音声データ復元部２４３は、それぞれ復元した重要部分と他の部分とを組み合わせることによりもとのデジタル音声データを復元する手段である。
【００２３】
〔２．作用〕
上記のような本実施形態は、次のように作用する。
〔２−１．送信〕
まず、本実施形態において、送信機が音声を送信するときの処理手順を図４のフローチャートに示す。
【００２４】
〔２−１−１．デジタル化まで〕
送信の際は、まず、送信機１では、マイク（マイクロフォン）１１が入力される音声を電気的なアナログ音声信号に変換し、このアナログ音声信号を増幅器１２が所定のレベルに増幅する。この増幅されたアナログ音声信号をＡ／Ｄ（アナログ→デジタル）変換部１３が所定のサンプリング周波数や量子化ビット数などの条件に応じたデジタル音声データに変換し（ステップ０１）、このデジタル音声データを所定量のサンプリング信号と付加データごとにまとめて誤り訂正符号化処理を行う（ステップ０２〜０８）。
【００２５】
〔２−１−２．圧縮〕
具体的には、まず、Ａ／Ｄ変換部１３によって変換された前記デジタル音声データをもとに、処理部１４の音声コーデック（ＣＯＤＥＣ）１４１が音声圧縮符号化処理を行うことにより（ステップ０２）、圧縮済データに加工する。
【００２６】
〔２−１−３．分割〕
この圧縮済データをバッファ１４２が、所定数すなわち数十サンプル分ずつを伝送の単位音声データとしてまとめて蓄積するごとに（ステップ０３）、その単位音声データを音声データ分割部１４３が重要度に応じていくつかに分割（区分）する（ステップ０４）。この際、典型的には、音声データの符号ビットなど、間違えると影響が大きい重要部分と、それ以外の比較的影響の少ない他の部分とに区分し、必要に応じ再配置を行う。
【００２７】
一例として、ＰＣＭ符号化やＡＤＰＣＭを用いる場合、音の変化量の大きい符号を含む上位ビットと、それ以外の比較的変化量の小さい下位ビット等の通信データに分割する。サブバンドＡＤＰＰＣＭの場合、周波数帯域で分割されている低域を重要度「高」とし、高域の重要度を「低」とする。なお、ここでは重要度の高低２種類に区分したが、区分の種類は３種以上でもよい。
【００２８】
〔２−１−４．制御データの付加〕
また、付属データ第１付加部１４４は、上記のように区分された音声データのうち重要度が高いものに、送信信号のＩＤや電池残量など各種制御データのうち重要なものを付加する（ステップ０５）。この付加後のデータを重要データ群と呼ぶこととする。一方、付属データ第２付加部１４５は、上記のように区分された音声データのうち重要度の低いものに、各種制御データのうち重要度の低い制御データを付加する（ステップ０７）。この付加後のデータを通常データ群と呼ぶこととする。
【００２９】
〔２−１−５．誤り訂正符号化〕
以上のように区分した重要データ群については、相対的に高い誤り訂正能力を実現する誤り訂正第１符号化器１５が符号化するとともにその際、チェックサム等の誤り訂正符号をデータ量に対し通常データ群の場合よりも相対的に多い割合で付加する（ステップ０６）。一方、通常データ群については、相対的に低い誤り訂正能力を実現する誤り訂正第２符号化器１６が符号化するとともにその際、チェックサム等の冗長ビットすなわち誤り訂正符号をデータ量に対し重要データ群の場合よりも相対的に少ない割合で付加する符号化を行う（ステップ０８）。
【００３０】
例えば、伝送データ本体１００シンボルあたり計１０シンボルまで訂正可能な場合、図６（ｂ）に示すように、予め、１００シンボルの伝送データ本体を、重要なデータである２０シンボルとあまり重要でない８０シンボルに区分し、訂正可能な計１０シンボル（チェックサムデータ量２０シンボル）のうち、重要な２０シンボルに対して訂正可能数８シンボル（チェックサムデータ量１６シンボル）を割り当てる一方、残る８０シンボルに対しては訂正可能数の残り２シンボル（チェックサムデータ量４シンボル）のみを割り当てる。これにより、重要な部分の受信感度が向上し、結果として音質の劣化を軽減できる。
【００３１】
〔２−１−６．無線送信〕
以上のようにそれぞれ付属データや誤り訂正符号を付された音声データである重要データ群及び通常データ群は、必要なインターリーブ処理（ステップ０９）、フレームの付加（ステップ１０）、ＩＱ信号の出力などを経て、ベースバンド処理部１７が搬送波にのせ、アンテナを備えた無線部１８から送信する（ステップ１１，１２）。
【００３２】
〔２−２．受信〕
また、本実施形態において、受信機が音声を受信するときの処理手順を図５のフローチャートに示す。概略としては、上記のように送信機１が送信した情報を受信機２で受信し、誤り訂正処理を行い、分割していたデータをもとの状態に配置することによって復元した音声データをＤ／Ａ変換して出力する。
【００３３】
〔２−２−１．受信と誤り訂正復号化〕
具体的には、まず、アンテナを備えた無線機２８が受信した搬送波から（図３）、ベースバンド処理部２７によるベースバンド処理（図５のステップ２１）による受信データの復調、必要なフレーム除去（ステップ２２）、インターリーブ処理（ステップ２３）などにより、送信された伝送用データである重要データ群及び通常データ群を取り出す。
【００３４】
このうち重要データ群については、相対的に高い誤り訂正能力を実現する誤り訂正第１復号化器２５が復号化するとともにその際、データ量に対し通常データ群の場合よりも相対的に多い割合で付加されていたチェックサム等の誤り訂正符号を用いて誤り訂正を行う（図５のステップ２４）。一方、通常データ群については、相対的に低い誤り訂正能力を実現する誤り訂正第２復号化器部２６が復号化するとともにその際、データ量に対し相対的に少ない割合で付加されていたチェックサム等の誤り訂正符号を用いて誤り訂正を行う（ステップ２６）。
【００３５】
〔２−２−２．付属データの分離〕
そして、上記のように復号化された重要データ群から、付属データ第１分離部２４４が、各種制御データのうち重要なものを取り出し（ステップ２５）、一方、復号化された通常データ群からは、付属データ第２分離部２４５が、各種制御データのうち重要度の低い制御データを取り出す（ステップ２７）。
【００３６】
〔２−２−３．データの再構成〕
そして、重要データ群と通常データ群とから、音声データ復元部２４３がもとのデジタル音声データを復元すなわち再構成する（ステップ２８）。この際は、例えば、重要データ群からは、音声データの符号ビットなど間違えると影響が大きい部分を、また、それ以外の比較的影響の少ない部分は通常データ群から取り出し、再配置により元のデジタル音声データを得る。
【００３７】
既に挙げた例では、ＰＣＭ符号化やＡＤＰＣＭの場合、音の変化量の大きい符号を含む上位ビット群は重要データ群、比較的変化量の小さい下位ビット群は通常データ群に含まれていたものをそれぞれ取り出し、統合する。サブバンドＡＤＰＰＣＭの場合、周波数帯域で分割されていた低域を重要データ群、高域は通常データ群から得る。
【００３８】
〔２−２−４．伸張と再生〕
このように復元された音声データは圧縮されたものであり、バッファ２４２が、所定数すなわち数十サンプル分ずつを単位音声データとしてまとめて蓄積するごとに（ステップ２９）、その圧縮された単位音声データを、処理部２４の音声コーデック（ＣＯＤＥＣ）２４１が再生用の非圧縮形式のデジタルデータに復元する（ステップ３０）。
【００３９】
そして、このデジタルデータを、Ｄ／Ａ（デジタル→アナログ）変換部２３が所定のサンプリング周波数や量子化ビット数などの条件に応じてアナログ音声信号にＤ／Ａ変換し（ステップ３１）、増幅器２２を通じスピーカ２１から音声出力する（ステップ３２）。
【００４０】
〔３．効果〕
以上のような本実施形態では、伝送する音声データのうち重要部分について、それ以外の他の部分よりも相対的に多くの割合の訂正用冗長ビットを割り当てることにより、重点的に誤り訂正処理を行うので、通信時の音質劣化を効果的に軽減することが可能となる。
【００４１】
〔４．他の実施形態〕
なお、本発明は、上記実施形態に限定されるものではなく、以下に例示するもの及びそれ以外のものを含む他の実施形態も含むものである。例えば、各図に示した構成、処理手順は例示に過ぎず、本発明は適宜変更実施可能であるから、一例として、送信機１の付属データ第１付加部１４４、付属データ第２付加部１４５、受信機２の付属データ第１分離部２４４、付属データ第２分離部２４５は省略可能であるし、伝送方式によってはインターリーブ処理やフレームの付加等は必須ではない。また、増幅器２２やスピーカ２１は、本発明を構成する受信機２とは別体に構成してもよい。
【図面の簡単な説明】
【００４２】
【図１】本発明の実施形態を示す構成図。
【図２】本発明の実施形態における送信機の構成を示す機能ブロック図。
【図３】本発明の実施形態における受信機の構成を示す機能ブロック図。
【図４】本発明の実施形態における送信側の処理手順を示すフローチャート。
【図５】本発明の実施形態における受信側の処理手順を示すフローチャート。
【図６】送受信データとチェックサムの関係を示す概念図。
【符号の説明】
【００４３】
１…送信機
２…受信機
３…アンテナ
１１…マイク
１２，２２…増幅器
１３…Ａ／Ｄ変換部
１４，２４…処理部
１４１，２４１…音声コーデック
１４２，２４２…数十サンプル（分）バッファ
１４３…音声データ分割部
１４４…付属データ第１付加部
１４５…付属データ第２付加部
１５…誤り訂正第１符号化器
１６…誤り訂正第２符号化器
１７，２７…ベースバンド処理部
１８，２８…無線部
２１…スピーカ
２３…Ｄ／Ａ変換部
２４３…音声データ復元部
２４４…付属データ第１分離部
２４５…付属データ第２分離部
２５…誤り訂正第１復号化器
２６…誤り訂正第２復号化器
【図１】
2006038890.tif 000003
【図２】
2006038890.tif 000004
【図３】
2006038890.tif 000005
【図４】
2006038890.tif 000006
【図５】
2006038890.tif 000007
【図６】
2006038890.tif 000008